【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
送信機によって、競合ベース無線周波数スペクトルを利用する少なくとも１つのキャリア上で、成功した拡張クリアチャネルアセスメント（ＥＣＣＡ）検査を検出し、前記成功したＥＣＣＡ検査は、現在サブフレーム、現在スロット、または現在シンボルの内の１つの、サブフレーム、スロット、またはシンボルの内の１つの境界より前に行われることと、
前記送信機によって、前記少なくとも１つのキャリア上で、前記成功したＥＣＣＡ検査と、前記現在サブフレーム、前記現在スロット、または前記現在シンボルの内の１つの、サブフレーム、スロット、またはシンボルの内の１つの境界との間で、フラクショナルチャネル予約信号を送信し、前記フラクショナルチャネル予約信号は、第１のシーケンスを使用して発生させることと、
前記送信機によって、前記少なくとも１つのキャリア上で、前記現在サブフレーム、前記現在スロット、または前記現在シンボルの内の１つの後の後続のサブフレーム、スロット、またはシンボルの内の１つにおいて開始するチャネル予約信号を送信し、前記チャネル予約信号は、前記第１のシーケンスとは異なる第２のシーケンスを使用して発生されることとを含むワイヤレス通信の方法。
【請求項２】
前記送信機によって、前記少なくとも１つのキャリア上での送信のためのデータを検出することと、
前記送信機によって、前記成功したＥＣＣＡ検査を検出することに応答して、前記第１のシーケンスを発生させることと、
前記送信機によって、前記サブフレーム、スロット、またはシンボルの内の１つの境界に達することに応答して、前記第２のシーケンスを発生させることと、
前記送信機によって、前記後続のサブフレーム、スロット、またはシンボルの内の１つの後に、前記データを送信することとをさらに含む請求項１記載の方法。
【請求項３】
前記送信機によって、前記成功したＥＣＣＡ検査の時間を検出することと、
前記送信機によって、前記時間と、前記現在サブフレーム、前記現在スロット、または前記現在シンボルの内の１つの現在タイミングとを比較することと、
前記送信機によって、前記時間が前記サブフレーム、スロット、またはシンボルの内の１つの境界より前にあることを決定することとをさらに含む請求項１記載の方法。
【請求項４】
前記第１のシーケンスが、前記第２のシーケンスの導出されたバージョンである請求項１記載の方法。
【請求項５】
前記導出されたバージョンが、
前記第２のシーケンスの反転順序、
前記第２のシーケンスの反転同相／直角位相順序、または
別のシーケンスによって乗算された前記第２のシーケンス、の内の１つである請求項４記載の方法。
【請求項６】
ワイヤレス通信の方法において、
送信機によって、競合ベース無線周波数スペクトルを利用する少なくとも１つのキャリア上で、成功した拡張クリアチャネルアセスメント（ＥＣＣＡ）検査を検出し、前記成功したＥＣＣＡ検査は、現在サブフレームの境界より前に行われることと、
前記成功したＥＣＣＡ検査が行われる時間から前記現在サブフレームの終了までアイドルにとどまることと、
前記送信機によって、前記少なくとも１つのキャリア上で、前記現在サブフレームの後の後続のサブフレームにおいて開始するチャネル予約信号を送信することとを含むワイヤレス通信の方法。
【請求項７】
前記送信機によって、前記後続のサブフレームにおいて前記チャネル予約信号を送信することより前にクリアチャネルアセスメント（ＣＣＡ）検査を実行することと、
前記送信機によって、前記ＣＣＡ検査の結果を検出し、前記送信することは、成功したＣＣＡ検査に応答して行われることをさらに含む請求項６記載の方法。
【請求項８】
前記送信機によって、前記成功したＥＣＣＡ検査と前記現在サブフレームの境界との間のアイドル時間を決定し、前記ＣＣＡ検査を実行することは、前記アイドル時間が所定のしきい値を超えることに応答して行われることをさらに含む請求項７記載の方法。
【請求項９】
プログラムコードを記録した非一時的コンピュータ可読媒体において、
前記プログラムコードは、
送信機によって、競合ベース無線周波数スペクトルを利用する少なくとも１つのキャリア上で、成功した拡張クリアチャネルアセスメント（ＥＣＣＡ）検査を検出することをコンピュータに行わせ、前記成功したＥＣＣＡ検査は、現在サブフレーム、現在スロット、または現在シンボルの内の１つの境界より前に行われるためのプログラムコードと、
前記送信機によって、前記少なくとも１つのキャリア上で、前記成功したＥＣＣＡ検査と、前記現在サブフレーム、前記現在スロット、または前記現在シンボルの内の１つの、サブフレーム、スロット、またはシンボルの内の１つの境界との間で、フラクショナルチャネル予約信号を送信することを前記コンピュータに行わせ、前記フラクショナルチャネル予約信号は、第１のシーケンスを使用して発生されるためのプログラムコードと、
前記送信機によって、前記少なくとも１つのキャリア上で、前記現在サブフレーム、前記現在スロット、または前記現在シンボルの内の１つの後の後続のサブフレーム、スロット、またはシンボルの内の１つにおいて開始するチャネル予約信号を送信することを前記コンピュータに行わせ、前記チャネル予約信号は、前記第１のシーケンスとは異なる第２のシーケンスを使用して発生されるためのプログラムコードとを含む非一時的コンピュータ可読媒体。
【請求項１０】
前記送信機によって、前記少なくとも１つのキャリア上での送信のためのデータを検出することを前記コンピュータに行わせるためのプログラムコードと、
前記送信機によって、前記成功したＥＣＣＡ検査を検出することに応答して、前記第１のシーケンスを発生させることを前記コンピュータに行わせるためのプログラムコードと、
前記送信機によって、前記サブフレーム、スロット、またはシンボルの内の１つの境界に達することに応答して、前記第２のシーケンスを発生させることを前記コンピュータに行わせるためのプログラムコードと、
前記送信機によって、前記後続のサブフレーム、スロット、またはシンボルの内の１つの後に前記データを送信することを前記コンピュータに行わせるためのプログラムコードとをさらに含む請求項９記載の非一時的コンピュータ可読媒体。
【請求項１１】
前記送信機によって、前記成功したＥＣＣＡ検査の時間を検出することを前記コンピュータに行わせるためのプログラムコードと、
前記送信機によって、前記時間と、前記現在サブフレームの現在サブフレームタイミングとを比較することを前記コンピュータに行わせるためのプログラムコードと、
前記送信機によって、前記時間が前記サブフレーム、スロット、またはシンボルの内の１つの境界より前にあることを決定することを前記コンピュータに行わせるためのプログラムコードとをさらに含む請求項９記載の非一時的コンピュータ可読媒体。
【請求項１２】
前記第１のシーケンスは、前記第２のシーケンスの導出されたバージョンである請求項９記載の非一時的コンピュータ可読媒体。
【請求項１３】
前記導出されたバージョンは、
前記第２のシーケンスの反転順序、
前記第２のシーケンスの反転同相／直角位相順序、または
別のシーケンスによって乗算された前記第２のシーケンス、の内の１つである請求項１２記載の非一時的コンピュータ可読媒体。
【請求項１４】
ワイヤレス通信のために構成されている装置において、
前記装置は、
少なくとも１つのプロセッサと、
前記少なくとも１つのプロセッサに結合されているメモリと
を具備し、
前記少なくとも１つのプロセッサは、
送信機によって、競合ベース無線周波数スペクトルを利用する少なくとも１つのキャリア上で、成功した拡張クリアチャネルアセスメント（ＥＣＣＡ）検査を検出し、前記成功したＥＣＣＡ検査は、現在サブフレーム、現在スロット、または現在シンボルの内の１つの境界より前に行われるようにと、
前記送信機によって、前記少なくとも１つのキャリア上で、前記成功したＥＣＣＡ検査と、前記現在サブフレーム、前記現在スロット、または前記現在シンボルの内の１つの、サブフレーム、スロット、またはシンボルの内の１つの境界との間で、フラクショナルチャネル予約信号を送信し、前記フラクショナルチャネル予約信号は、第１のシーケンスを使用して生成されるようにと、
前記送信機によって、前記少なくとも１つのキャリア上で、前記現在サブフレーム、前記現在スロット、または前記現在シンボルの内の１つの後の後続のサブフレーム、スロット、またはシンボルの内の１つにおいて開始するチャネル予約信号を送信し、前記チャネル予約信号は、前記第１のシーケンスとは異なる第２のシーケンスを使用して発生されるように構成されている装置。
【請求項１５】
前記送信機によって、前記少なくとも１つのキャリア上での送信のためのデータを検出し、
前記送信機によって、前記成功したＥＣＣＡ検査を検出することに応答して、前記第１のシーケンスを発生させ、
前記送信機によって、前記サブフレーム、スロット、またはシンボルの内の１つの境界に達することに応答して、前記第２のシーケンスを発生させ、
前記送信機によって、前記後続のサブフレーム、スロット、またはシンボルの内の１つの後に前記データを送信する、前記少なくとも１つのプロセッサの構成をさらに含む請求項１４記載の装置。
【請求項１６】
前記送信機によって、前記成功したＥＣＣＡ検査の時間を検出し、
前記送信機によって、前記時間と、前記現在サブフレームの現在サブフレームタイミングとを比較し、
前記送信機によって、前記時間が前記サブフレーム、スロット、またはシンボルの内の１つの境界より前にあることを決定する、前記少なくとも１つのプロセッサの構成をさらに含む請求項１４記載の装置。
【請求項１７】
前記第１のシーケンスは、前記第２のシーケンスの導出されたバージョンである請求項１４記載の装置。
【請求項１８】
前記導出されたバージョンは、
前記第２のシーケンスの反転順序、
前記第２のシーケンスの反転同相／直角位相順序、または
別のシーケンスによって乗算された前記第２のシーケンス、の内の１つである請求項１７記載の装置。